(57)【要約】【課題】デッドボルトに設けた付勢バネにより、ダルマに対してクリック感を付与することができると共に、移動したデッドボルトの不安定な状態を解消すること。【解決手段】デッドボルトに錠ケースに案内される可動軸を設け、この可動軸には一端部がデッドボルトのバネ受け係合部に圧接すると共に、他端部はダルマの駆動腕に連設するバネ受け部に圧接する付勢バネを取付け、この付勢バネは、少なくとも本施錠時に、ダルマの駆動腕の先端部をデッドボルトの前側切欠係合面に勢い良く押し付けるクリック定位機能と、デッドボルトを該デッドボルトのバネ受け係合部を介して突出方向に押圧するデッド安定機能とを備えていることを特徴とする扉の本施錠装置。【選択図】　図２
2004107987.tif 000002
【特許請求の範囲】
【請求項１】
錠ケースに案内手段を介してデッドボルトを水平移動自在に設け、一方、デッドボルトの後端部に形成した前後の切欠係合面に選択的に係合する駆動腕を有するダルマを錠ケースに支承し、該ダルマが時計方向又は反時計方向に回転すると、前記駆動腕の切欠係合面に対する押圧によりデッドボルトが進退動する扉の本施錠装置に於いて、前記デッドボルト５に錠ケース３に案内される１又は２の可動軸２３を設け、この可動軸２３には一端部３６ａがデッドボルト５のバネ受け係合部２５に圧接すると共に、他端部３６ｂは前記ダルマ３１の駆動腕３３に段差状に連設するバネ受け部３４に圧接する付勢バネ３６を取付け、この付勢バネ３６は、少なくとも本施錠時に、ダルマ３１の駆動腕３３の先端部をデッドボルト５の前側切欠係合面２６に勢い良く押し付けるクリック定位機能と、デッドボルト５をデッドボルト５の前記バネ受け係合部２５を介して突出方向に押圧するデッド安定機能とを備えていることを特徴とする扉の本施錠装置。
【請求項２】
請求項１に於いて、鎌片４０が、その後端部４０ａが錠ケースの突起軸１２に軸支されていると共に、デッドボルト５の先端部寄りの部位に横設した係合ピン４１及び鎌片４０の中央部に形成した長孔４２を介し、デッドボルト５に連動するように組み合わせられていることを特徴とする扉の本施錠装置。
【請求項３】
請求項１に於いて、錠ケース３にはラッチ支持枠５１が固定され、このラッチ支持枠とデッドボルト５との間に軸１７を介して、かつ、デッドボルト５の進退動の際に該デッドボルトに係合して回転するラッチストッパー５３が軸支され、前記支軸にはラッチストッパー５３をラッチ支持枠内のラッチ５０の後端部に係合する方向へと常時付勢するバネ５４が設けられていることを特徴とする扉の本施錠装置。
【発明の詳細な説明】
【０００１】
【発明の属する技術分野】
本発明は、扉の本施錠装置に関し、特に本施錠片に対する付勢機構を主とした扉の本施錠装置に関する。
【０００２】
【従来の技術】
一般に、錠箱内に本施錠片としてのデッドボルトがフロント板を基準に、かつ、案内手段を介して進退動自在に設けられている。デッドボルトは、本施錠時、当業者用語では「ダルマ」と称されるデッドカムの駆動腕（作動アーム）によって錠箱のフロント板から押し出される。一方、デッドボルトは、解錠時、デッドカムが逆方向に回転することによって錠箱内へと後退する。デッドカムは、シリンダ錠、或いはサムターン、或いは又駆動モータの駆動力によって時計方向又は反時計方向に回転するが、手動式又は電動式であれ、デッドカムが回転すると、デッドボルトは錠箱に形成された案内手段としての水平案内長孔と該水平案内長孔に係合する係合ピンを介して水平方向に進退動する。この時錠箱内には突出した又は後退したデッドボルトを安定的或いは定位的に押さえつけるためにコイルバネを設けている場合が多い。その理由は、移動したデッドボルトが不安定な状態（ガタガタする状態）にならないようにするためである。
【０００３】
そこで、従来、錠箱内にバネ受け片を突出状態に設け、このバネ受け片にデッドボルト用コイルバネの一端部を支持させ、一方、デッドボルト用コイルバネの他端部をデッドボルトの適宜箇所（切欠端面、後端部など）に圧接する構成が採用されている。
【０００４】
ところで、デッドボルトは、前述したようにデッドカムによって押し出され、又は引き戻されるが、普通一般にデッドカムは、デッドボルトの後端部に形成した傾斜状の対向切欠端面にその駆動腕（作動アーム）の先端部が選択的に係合するように支承されている。
【０００５】
そこで、デッドカムの支承位置を考慮すると、本施錠片に対する付勢機構（特に付勢バネ）を錠箱内にどのように配設するかは、錠箱のケース身の幅方向の長さ、デッドボルトの厚さや長さ、付勢バネの端部を受ける部品の有無にそれぞれ影響する。
【０００６】
そこで、現在、錠箱やデッドボルトの長さ、バネ端受け片の有無などを考慮しながら、本施錠片に対する付勢バネを如何に合理的に設けるか、或いは付勢バネにどのような機能を持たせるかが発明の課題の一つとなっている。また、扉の錠前の場合、デッドボルトの進退動を利用して１又は２以上の施錠効果を得ることも期待されている。
【０００７】
【発明が解決しようとする課題】
本発明の第１の目的は、錠ケースやデッドボルトの長さ、バネ端受け片の有無などを考慮しながら、本施錠片に対する付勢バネを合理的に設け、フロント板の前面からダルマの中心までの距離（いわゆるバックセット）を短くすることができる、デッドボルトの長さを短くすることができる、デッドボルトの厚さを薄くすることができる（デッドボルトに追動する鎌片を有する場合には、鎌片の側面とデッドボルトの内壁面との間に間隙を設けないようにすることができる）等の効果を達成することである。第２の目的は、デッドボルトに設けた付勢バネにより、ダルマに対してクリック感を付与することができると共に、移動したデッドボルトの不安定な状態を解消することができることである。第３の目的は、付勢バネ用のバネ端受け片を錠ケースに突設する必要がないことである。第４の目的は、デッドボルトの進退動を利用して１又は２以上の施錠効果（ラッチに対する施錠も含む）を得ることができることである。
【０００８】
【課題を解決するための手段】
本発明の扉の本施錠装置は、錠ケースに案内手段を介してデッドボルトを水平移動自在に設け、一方、デッドボルトの後端部に形成した前後の切欠係合面に選択的に係合する駆動腕を有するダルマを錠ケースに支承し、該ダルマが時計方向又は反時計方向に回転すると、前記駆動腕の切欠係合面に対する押圧によりデッドボルトが進退動する扉の本施錠装置に於いて、前記デッドボルト５に錠ケース３に案内される１又は２の可動軸２３を設け、この可動軸２３には一端部３６ａがデッドボルト５のバネ受け係合部２５に圧接すると共に、他端部３６ｂは前記ダルマ３１の駆動腕３３に段差状に連設するバネ受け部３４に圧接する付勢バネ３６を取付け、この付勢バネ３６は、少なくとも本施錠時に、ダルマ３１の駆動腕３３の先端部をデッドボルト５の前側切欠係合面２６に勢い良く押し付けるクリック定位機能と、デッドボルト５をデッドボルト５の前記バネ受け係合部２５を介して突出方向に押圧するデッド安定機能とを備えていることを特徴とする。
【０００９】
【発明の実施の形態】
図１乃至５図は、本発明の一実施例を示す各説明図である。まず、図１を参照に本発明の実施の環境を説明する。１は水平方向に開閉する扉である。扉１は、例えばアルミ型材の門扉であり、該門扉１の取付け端部は塀間に設けた柱に枢着されている。もちろん、扉１は躯体（建物）の玄関口に設けたものであっても良く、門扉に限らない。２は錠前の一例としてのプッシュプル錠で、このプッシュプル錠２は扉１の開閉端部の適宜箇所に取付けられている。プッシュプル錠２は、普通一般に扉１の内外に取付けられるが、本実施例では、扉１の内側に取付けられている一例を示す。
【００１０】
３は錠ケースで、この錠ケース３の一側壁にプッシュプル方式の板状把手４が取付けられている。５は本施錠片としてのデッドボルトで、このデッドボルト５は対向する扉６或いは躯体に設けられた受け具７に係脱する。８は把手を貫通して錠ケース３に取付けられたサムターンである。サムターン８は、後述するダルマ（デッドカム）に連係させられている。
【００１１】
次に図２乃至図４を参照に本発明の主要部を説明する。まず錠ケース３について説明する。錠ケース３は板状のケース身１０を有している。このケース身１０に対しては図示しないケース蓋が対設する。図３を基準にすると、ケース身１０は、上端部寄りの部位が段差状に折り曲げられている。
【００１２】
しかして、１１はケース身１０の折曲部１０ａ付近に水平方向に形成された第１水平案内長孔である。この第１水平案内長孔１１はケース身１０の中央部から後端部にかけて形成されている。１２はケース身１０の上端部に固定された突起軸で、この突起軸１２は錠ケース３のフロント１３寄りの部位に設けられている。
【００１３】
一方、１４はケース身１０の折曲部１０ａ付近に水平方向に形成された第２水平案内長孔である。この第２水平案内長孔１４と第１水平案内長孔１１の長さは略同一である。また両方の水平案内長孔１１，１４は、ケース身１０の折曲部１０ａ付近に形成されている点も同じである。しかし、折曲部１０ａを基準にすると、両方の水平案内長孔１１，１４は、ケース身１０の上方と下方に互いにオフセット状態に設けられている点が相違する。
【００１４】
１５はケース身１０の中央部に形成されたダルマ用嵌合軸孔である。この嵌合軸孔１５の上方の左右部位には、前後で対を成す小突起状のストッパー１６，１６が設けられている。さらに、ケース身１０にはラッチストッパー用軸１７、ラッチ支持枠用の上下一対の取付け孔１８などが設けられている。
【００１５】
次に本施錠片としてのデッドボルト５について説明する。周知のようにデッドボルト５は、錠ケース３内にフロント板１３を基準にし、かつ、案内手段を介して進退動自在に設けられている。デッドボルト５は、ケース身１０の上下の水平案内長孔１１，１４にそれぞれ係合する２個の可動軸２１，２３を有している。すなわち、２１は後端部５ａの上方軸孔２２に横設された第１可動軸、一方、２３は中央部付近の下方軸孔２４に横設された第２可動軸である。
【００１６】
ところで、デッドボルト５の突出側に相当する先端部５ｂは、１枚の板を折り曲げた格好の端面Ｕ字型状に形成されている。一方、後端部５ａは一枚の板（一方の側壁）が露出する格好となっている。
【００１７】
換言すれば、後端部５ａの手前側の対向側壁が段差状に切欠されている。その段差部分に前述した下方軸孔２４が形成されている。そして、本実施例では露出した一方の側壁の上部にバネ受け係合部（例えば突片）２５が交差方向に設けられている。また一方の側壁の下部は適宜に切欠され、切欠によって形成されたダルマ用の前側切欠係合面２６と後側切欠係合面２７は傾斜状に対向している。
【００１８】
次にデッドボルト５を押し出したり、又は引き戻したりするダルマ（デッドカム）について説明する。サムターン等の操作によって回転するダルマ３１は、ケース身１０の嵌合軸孔１５に回転自在に嵌合する。
【００１９】
しかして、ダルマ３１は、ケース身１０に支承される筒状中心部３２と、この中心部３２からアーム状に延伸し、かつ、デッドボルト５の前側切欠係合面２６と後側切欠係合面２７にそれぞれ選択的に押圧たる駆動腕３３と、この駆動腕３３の側壁に段差状に連設する山形状のバネ受け部３４とから成る。前記駆動腕３３は、デッドボルト５の前後のストッパー１６，１６間を揺動する。
【００２０】
次に付勢バネ３６について説明する。付勢バネ３６の環状中央部は、第２可動軸２３に巻装された状態でデッドボルト５の中央部寄りの部位に内装されている。そして、その一端部３６ａはデッドボルト５のバネ受け突片２５に、一方、その他端部３６ｂはダルマ３１のバネ受け部３４にそれぞれ常時圧接している。
【００２１】
付勢バネ３６はデッドボルト５と共に水平移動するようにデッドボルト５に装着されているから、付勢バネ３６の他端部３６ｂはダルマ３１のバネ受け部３４に乗っかっている。
【００２２】
ここで、図２と図４を参照にして付勢バネ３６の二つの機能について説明する。図２はダルマ３１が反時計方向に回転してデッドボルト５が錠ケース３から突出した本施錠時の状態を示す。一方、図４はダルマ３１が時計方向に回転してデッドボルト５が錠ケース３内に後退した解錠時の状態を示す。本施錠時及び解錠時、付勢バネ３６の他端部３６ｂはダルマ３１のバネ受け部３４に常時圧接状態で乗っかっている。
【００２３】
すなわち、本施錠時であれ、又は解錠時であれ、ダルマ３１が左右に回転してその駆動腕３３がダルマ３１の中心部の垂直線Ｏ（ダルマ用嵌合軸孔の中心）上を通過すると、付勢バネ３６の他端部３６ｂは、ダルマ３１の駆動腕３３の先端部をデッドボルト５の前側切欠係合面２６又は後側切欠係合面２７に勢い良く押し付ける。この付勢バネ３６の勢い良く押し付けるバネ作用は、いわゆるダルマ３１をクリック的に定位させるクリック定位機能と言えるものである。
【００２４】
一方、本施錠時、付勢バネ３６の一端部３６ａは、その他端部３６ｂがダルマ３１のバネ受け部３４に圧接状態で乗っかっているので、デッドボルト５はデッドボルト５のバネ受け係合部２５を介して突出方向に押圧されている。このデッドボルト５を突出方向に押圧するバネ作用は、いわゆるデッドボルト５をガタガタしないように安定させるデッド安定機能と言えるものである。
【００２５】
このように付勢バネ３６には、上述した二つの機能（施・解錠時のクリック定位機能と本施錠後のデッド安定機能）があるが、さらに本施錠段階に移行する途中時に、デッドボルト５を押し出す機能がある。すなわち、図５は解錠時から施錠時へ移行する途中段階を示す概略説明図であるが、この場合ダルマ３１が反時計方向へ回転し始めると、付勢バネ３６の他端部３６ｂがダルマ３１の駆動腕３３によって持ち上げられる。
【００２６】
しかして、ダルマ３１の駆動腕３３が立ち上がる（垂直状態になるの意味合い）にしたがって、付勢バネ３６の外拡方向へのバネ力は、付勢バネ３６の一端部３６ａ及びバネ受け係合部２５を介してデッドボルト５の突出（押し出し）方向に作用する。したがって、デッドボルト５はダルマ３１の駆動腕３３がデッドボルト５の前側切欠係合面２６に当る以前から案内手段１１，１４，２１，２３を介して矢印Ｘ方向に水平移動する。
【００２７】
次に鎌片４０について説明する。本実施例では本施錠片としてのデッドボルト５に、該デッドボルトに追動するように鎌片４０が組み合わせられている。詳しく説明すると、鎌片４０は、その後端部４０ａがケース身１０の突起軸１２に軸支されていると共に、デッドボルト５の先端部寄りの部位に横設した係合ピン４１及び鎌片４０の中央部に形成した長孔４２を介し、デッドボルト５に連動するように組み合わせられている。鎌片４０の長孔４２を有する中央部分４０ｂは、デッドボルト５のＵ字型先端部の空洞部に概ね収まっている。
【００２８】
したがって、鎌片４０はデッドボルト５がフロント１３を基準に突出（進出）すると、突起軸１２を支点に回転してデッドボルト５と共に同時に受け具７に係入する。これに対し、鎌片４０はデッドボルト５が錠ケース３内に後退すると、係合ピン４１を介して係合解除の方向へと引き戻される格好となる。このようにデッドボルト５と鎌片４０は、デッドボルト５の係合ピン４１と鎌片４０の長孔４２とで構成された連係手段により略同時に作動する。
【００２９】
次に本発明に関連する構成部材について簡単に説明する。５０はデッドボルト５の下方に設けられた反転式のラッチ、５１は錠ケースに固定的に設けられた断面コ字型のラッチ支持枠、５２はラッチ支持枠内に設けられたラッチバネ、５３はデッドボルト５とラッチ支持枠５１の間に軸１７を介して軸支されたラッチストッパー、５４はラッチストッパー５３をラッチ５０の後端部に係合する方向へと常時付勢するバネである。
【００３０】
しかして、前記ラッチストッパー５３は、錠ケース３に軸支された環状部と、この環状部の下部側に設けられ、かつ、ラッチ支持枠５１の水平上板に当接可能な当り部５５と、この当り部５５によりも下方に延伸し、かつ、前記ラッチ支持枠を貫通してラッチ５０の後端部上方の係合受け部５０ａと係脱する突起状のストッパー部５６と、一方、このストッパー部５６とは逆方向に延伸し、かつ、デッドボルト５の後退時に該デッドボルトの下部のデッド係合部（切欠端面）２８に押される指状受け部５７とから成る。
【００３１】
したがって、図４で示すように、デッドボルトの解錠時、ダルマ３１が時計方向（矢印方向）に回転してデッドボルト５が錠ケース３内に後退すると、ラッチストッパー５３はデッド係合部２８に押され、ラッチストッパー用バネ５４のバネ力に抗して係止解除の方向へ回転する。
【００３２】
一方、図２で示すように、デッドボルトの施錠時、ダルマ３１が反時計方向に回転してデッドボルト５が錠ケース３から突出すると、ラッチストッパー５３は前記バネ５４のバネ力により係止方向に回転し、その結果、ラッチ５０の一方の係合受け部５ａに係合する。それ故に、ラッチ５０の移動（例えば反転防止）が阻止される。これにより、本施錠時、デッドボルトの進退動を利用して１又は２以上の施錠効果を得ることができる。
【００３３】
【実施例】
実施例に於いて、デッドボルト５にはバネ受け係合部２５が突片状に設けられているが、このバネ受け係合部２５は係合溝であっても良い。普通一般に錠前の係合部（凸）と被係合部（凹）の関係は当業者であれば任意に設計変更することができるから、作用・効果が同一である限り、発明の射程範囲に含まれる。
【００３４】
【発明の効果】
以上の説明から明らかなように、本発明にあっては、次に列挙するような作用・効果がある。
（１）デッドボルトに設けた付勢バネにより、ダルマに対してクリック感を付与することができると共に、移動したデッドボルトの不安定な状態を解消することができる。
（２）二つの機能を有する付勢バネを、錠ケースに案内されるデッドボルトの可動軸に設けたので、フロント板の前面からダルマの中心までの距離（いわゆるバックセット）を短くすることができる。またデッドボルトの長さも短くすることができる。換言すれば、錠箱内の空間を有効利用することができるから、錠ケースの小型化が可能である。
（３）付勢バネ用のバネ端受け片を錠ケースに突設する必要がない。
（４）デッドボルトの進退動を利用して１又は２以上の施錠効果（ラッチに対する施錠も含む）を得ることができる。したがって、不正解錠をより確実に阻止することが可能である。
【図面の簡単な説明】
図１乃至図５は本発明の一実施例を示す各概略説明図。
【図１】本発明の実施環境を平面から見た概略説明図。
【図２】本施錠時の概略説明図。
【図３】主要部の分解斜視図。
【図４】解錠時の概略説明図。
【図５】要部（付勢バネ）のバネ作用を説明する概略図。
【符号の説明】
１…扉、２…錠前、３…錠ケース、４…把手、５…デッドボルト、６…扉（躯体）、７…受け具、８…サムターン、１０…ケース身、１１…第１水平案内長孔、１２…突起軸、１３…フロント、１４…第２水平案内長孔、１５…ダルマ用嵌合軸孔、１６…ストッパー、１７…軸、２１，２３…可動軸、２２…上方軸孔、２４…下方軸孔、２５…バネ受け係合部、２６…前側切欠係合面、２７…後側切欠係合面、２８…係合部、３１…ダルマ、３２…筒状中心部、３３…駆動腕、３４…バネ受け部、３６…付勢バネ、３６ａ…一端部、３６ｂ…他端部、４０…鎌片、４１…係合ピン、４２…長孔、５０…ラッチ、５１…ラッチ支持枠、５２…ラッチバネ、５３…ラッチストッパー、５４…バネ、５５…当り部、５６…ストッパー部、５７…受け部。
【図１】
2004107987.tif 000003
【図２】
2004107987.tif 000004
【図３】
2004107987.tif 000005
【図４】
2004107987.tif 000006
【図５】
2004107987.tif 000007